(57)【要約】【目的】  再生信号に含まれるノイズを有効に除去し、多値情報の記録の信頼性を大幅に向上させる。【構成】  コントローラ９は、光ディスク１２上に記録マークを一定周期の記録単位時間Ｔｃで形成し、再生光の照射によって、上記記録単位時間Ｔｃ内に形成された記録マークの大きさ及び／又は深さの違いによる互いに異なるα種類（α≧３，αは整数）の再生信号のレベルを検出して上記記録マークに基づく情報を再生し、上記再生光の照射によって得られる再生信号をサンプリング間隔Ｔｓによってサンプリングし、そのサンプリングによって得られたデータの移動平均値をとって平滑化するとき、｛（移動平均標本数）−１｝×Ｔｓで定義される移動平均範囲τが、０．５≦（τ／Ｔｃ）≦１．０を満たすように制御する。【選択図】        図１
2006236498.tif 000002
【特許請求の範囲】
【請求項１】
記録媒体上に記録マークを一定周期の記録単位時間Ｔｃで形成し、再生光の照射によって、前記記録単位時間Ｔｃ内に形成された記録マークの大きさ及び／又は深さの違いによる互いに異なるα種類（α≧３，αは整数）の再生信号のレベルを検出して前記記録マークに基づく情報を再生し、前記再生光の照射によって得られる再生信号をサンプリング間隔Ｔｓによってサンプリングし、該サンプリングによって得られたデータの移動平均値をとって平滑化するとき、｛（移動平均標本数）−１｝×Ｔｓで定義される移動平均範囲τが、０．５≦（τ／Ｔｃ）≦１．０を満たすようにすることを特徴とする多値情報の再生方法。
【請求項２】
記録媒体上に記録マークを一定周期の記録単位時間Ｔｃで形成し、再生光の照射によって、前記記録単位時間Ｔｃ内に形成された記録マークの大きさ及び／又は深さの違いによる互いに異なるα種類（α≧３，αは整数）の再生信号のレベルを検出して前記記録マークに基づく情報を再生し、前記再生光の照射によって得られる再生信号をサンプリング間隔Ｔｓによってサンプリングし、該サンプリングによって得られたデータの移動平均値をとって平滑化するとき、｛（移動平均標本数）−１｝×Ｔｓで定義される移動平均範囲τが、０．６≦（τ／Ｔｃ）≦０．９を満たすようにすることを特徴とする多値情報の再生方法。
【請求項３】
記録媒体上に記録マークを一定周期の記録単位の物理的長さＬｃで形成し、再生光の照射によって、前記物理的長さＬｃで形成された記録マークの大きさ及び／又は深さの違いによる互いに異なるα種類（α≧３，αは整数）の再生信号レベルを検出して前記記録マークに基づく情報を再生し、前記再生光の照射によって得られる再生信号をサンプリング間隔Ｔｓによってサンプリングし、該サンプリングによって得られたデータの移動平均値をとって平滑化するとき、前記再生の再生速度Ｖに応じて、｛（移動平均標本数）−１｝×Ｔｓで定義される移動平均範囲τが０．５≦（τ／Ｌｃ）・Ｖ≦１．０を満たすように前記サンプリング間隔Ｔｓ及び／又は前記移動平均標本数を変化させることを特徴とする多値情報の再生方法。
【請求項４】
記録媒体上に記録マークを一定周期の記録単位の物理的長さＬｃで形成し、再生光の照射によって、前記物理的長さＬｃで形成された記録マークの大きさ及び／又は深さの違いによる互いに異なるα種類（α≧３，αは整数）の再生信号レベルを検出して前記記録マークに基づく情報を再生し、前記再生光の照射によって得られる再生信号をサンプリング間隔Ｔｓによってサンプリングし、該サンプリングによって得られたデータの移動平均値をとって平滑化するとき、前記再生の再生速度Ｖに応じて、｛（移動平均標本数）−１｝×Ｔｓで定義される移動平均範囲τが０．６≦（τ／Ｌｃ）・Ｖ≦０．９を満たすように前記サンプリング間隔Ｔｓ及び／又は前記移動平均標本数を変化させることを特徴とする多値情報の再生方法。
【請求項５】
記録媒体上に記録マークを一定周期の記録単位の周波数ｆｃｅｌｌで形成し、再生光の照射によって、前記周波数ｆｃｅｌｌで形成された記録マークの大きさ及び／又は深さの違いによる互いに異なるα種類（α≧３，αは整数）の再生信号レベルを検出して前記記録マークに基づく情報を再生し、前記再生光の照射によって得られる再生信号のノイズをローパスフィルタによって除去するとき、前記ローパスフィルタの遮断周波数ｆｃが、０．５０・ｆｃｅｌｌ≦ｆｃ≦１．００・ｆｃｅｌｌを満たすようにすることを特徴とする多値情報の再生方法。
【請求項６】
記録媒体上に記録マークを一定周期の記録単位の周波数ｆｃｅｌｌで形成し、再生光の照射によって、前記周波数ｆｃｅｌｌで形成された記録マークの大きさ及び／又は深さの違いによる互いに異なるα種類（α≧３，αは整数）の再生信号レベルを検出して前記記録マークに基づく情報を再生し、前記再生光の照射によって得られる再生信号のノイズをローパスフィルタによって除去するとき、前記ローパスフィルタの遮断周波数ｆｃが、０．５５・ｆｃｅｌｌ≦ｆｃ≦０．８４・ｆｃｅｌｌを満たすようにすることを特徴とする多値情報の再生方法。
【請求項７】
記録媒体上に記録マークを一定周期の記録単位の物理的長さＬｃで形成し、再生光の照射によって、前記物理的長さＬｃで形成された記録マークの大きさ及び／又は深さの違いによる互いに異なるα種類（α≧３，αは整数）の再生信号レベルを検出して前記記録マークに基づく情報を再生し、前記再生光の照射によって得られる再生信号のノイズをローパスフィルタによって除去するとき、前記再生の再生速度Ｖに応じて、前記ローパスフィルタの遮断周波数ｆｃが０．５０・（Ｖ／Ｌｃ）≦ｆｃ≦１．００・（Ｖ／Ｌｃ）を満たすように前記遮断周波数ｆｃを変化させることを特徴とする多値情報の再生方法。
【請求項８】
記録媒体上に記録マークを一定周期の記録単位の物理的長さＬｃで形成し、再生光の照射によって、前記物理的長さＬｃで形成された記録マークの大きさ及び／又は深さの違いによる互いに異なるα種類（α≧３，αは整数）の再生信号レベルを検出して前記記録マークに基づく情報を再生し、前記再生光の照射によって得られる再生信号のノイズをローパスフィルタによって除去するとき、前記再生の再生速度Ｖに応じて、前記ローパスフィルタの遮断周波数ｆｃが０．５５・（Ｖ／Ｌｃ）≦ｆｃ≦１．８４・（Ｖ／Ｌｃ）を満たすように前記遮断周波数ｆｃを変化させることを特徴とする多値情報の再生方法。
【請求項９】
記録媒体上に記録マークを一定周期の記録単位時間Ｔｃで形成し、再生光の照射によって、前記記録単位時間Ｔｃ内に形成された記録マークの大きさ及び／又は深さの違いによる互いに異なるα種類（α≧３，αは整数）の再生信号のレベルを検出して前記記録マークに基づく情報を再生する多値情報の再生装置であって、
前記再生光の照射によって得られる再生信号をサンプリング間隔Ｔｓによってサンプリングする手段と、該手段によるサンプリングによって得られたデータの移動平均値をとって平滑化する手段と、｛（移動平均標本数）−１｝×Ｔｓで定義される移動平均範囲τが、０．５≦（τ／Ｔｃ）≦１．０を満たすように制御する手段とを備えたことを特徴とする多値情報の再生装置。
【請求項１０】
記録媒体上に記録マークを一定周期の記録単位時間Ｔｃで形成し、再生光の照射によって、前記記録単位時間Ｔｃ内に形成された記録マークの大きさ及び／又は深さの違いによる互いに異なるα種類（α≧３，αは整数）の再生信号のレベルを検出して前記記録マークに基づく情報を再生する多値情報の再生装置であって、
前記再生光の照射によって得られる再生信号をサンプリング間隔Ｔｓによってサンプリングする手段と、該手段によるサンプリングによって得られたデータの移動平均値をとって平滑化する手段と、｛（移動平均標本数）−１｝×Ｔｓで定義される移動平均範囲τが、０．６≦（τ／Ｔｃ）≦０．９を満たすように制御する手段とを備えたことを特徴とする多値情報の再生装置。
【請求項１１】
記録媒体上に記録マークを一定周期の記録単位の物理的長さＬｃで形成し、再生光の照射によって、前記物理的長さＬｃで形成された記録マークの大きさ及び／又は深さの違いによる互いに異なるα種類（α≧３，αは整数）の再生信号レベルを検出して前記記録マークに基づく情報を再生する多値情報の再生装置であって、
前記再生光の照射によって得られる再生信号をサンプリング間隔Ｔｓによってサンプリングする手段と、該手段によるサンプリングによって得られたデータの移動平均値をとって平滑化する手段と、前記再生の再生速度Ｖに応じて、｛（移動平均標本数）−１｝×Ｔｓで定義される移動平均範囲τが０．５≦（τ／Ｌｃ）・Ｖ≦１．０を満たすように前記サンプリング間隔Ｔｓ及び／又は前記移動平均標本数を変化させる手段とを備えたことを特徴とする多値情報の再生装置。
【請求項１２】
記録媒体上に記録マークを一定周期の記録単位の物理的長さＬｃで形成し、再生光の照射によって、前記物理的長さＬｃで形成された記録マークの大きさ及び／又は深さの違いによる互いに異なるα種類（α≧３，αは整数）の再生信号レベルを検出して前記記録マークに基づく情報を再生する多値情報の再生装置であって、
前記再生光の照射によって得られる再生信号をサンプリング間隔Ｔｓによってサンプリングする手段と、該手段によるサンプリングによって得られたデータの移動平均値をとって平滑化する手段と、前記再生の再生速度Ｖに応じて、｛（移動平均標本数）−１｝×Ｔｓで定義される移動平均範囲τが０．６≦（τ／Ｌｃ）・Ｖ≦０．９を満たすように前記サンプリング間隔Ｔｓ及び／又は前記移動平均標本数を変化させる手段とを備えたことを特徴とする多値情報の再生装置。
【請求項１３】
記録媒体上に記録マークを一定周期の記録単位の周波数ｆｃｅｌｌで形成し、再生光の照射によって、前記周波数ｆｃｅｌｌで形成された記録マークの大きさ及び／又は深さの違いによる互いに異なるα種類（α≧３，αは整数）の再生信号レベルを検出して前記記録マークに基づく情報を再生する多値情報の再生装置であって、
前記再生光の照射によって得られる再生信号のノイズを除去するローパスフィルタと、該ローパスフィルタの遮断周波数ｆｃが、０．５０・ｆｃｅｌｌ≦ｆｃ≦１．００・ｆｃｅｌｌを満たすように制御する手段とを備えたことを特徴とする多値情報の再生装置。
【請求項１４】
記録媒体上に記録マークを一定周期の記録単位の周波数ｆｃｅｌｌで形成し、再生光の照射によって、前記周波数ｆｃｅｌｌで形成された記録マークの大きさ及び／又は深さの違いによる互いに異なるα種類（α≧３，αは整数）の再生信号レベルを検出して前記記録マークに基づく情報を再生する多値情報の再生装置であって、
前記再生光の照射によって得られる再生信号のノイズを除去するローパスフィルタと、該ローパスフィルタの遮断周波数ｆｃが、０．５５・ｆｃｅｌｌ≦ｆｃ≦０．８４・ｆｃｅｌｌを満たすように制御する手段とを備えたことを特徴とする多値情報の再生装置。
【請求項１５】
記録媒体上に記録マークを一定周期の記録単位の物理的長さＬｃで形成し、再生光の照射によって、前記物理的長さＬｃで形成された記録マークの大きさ及び／又は深さの違いによる互いに異なるα種類（α≧３，αは整数）の再生信号レベルを検出して前記記録マークに基づく情報を再生する多値情報の再生装置であって、
前記再生光の照射によって得られる再生信号のノイズを除去するローパスフィルタと、前記再生の再生速度Ｖに応じて、前記ローパスフィルタの遮断周波数ｆｃが０．５０・（Ｖ／Ｌｃ）≦ｆｃ≦１．００・（Ｖ／Ｌｃ）を満たすように前記遮断周波数ｆｃを変化させる手段を備えたことを特徴とする多値情報の再生装置。
【請求項１６】
記録媒体上に記録マークを一定周期の記録単位の物理的長さＬｃで形成し、再生光の照射によって、前記物理的長さＬｃで形成された記録マークの大きさ及び／又は深さの違いによる互いに異なるα種類（α≧３，αは整数）の再生信号レベルを検出して前記記録マークに基づく情報を再生する多値情報の再生装置であって、
前記再生光の照射によって得られる再生信号のノイズを除去するローパスフィルタと、前記再生の再生速度Ｖに応じて、前記ローパスフィルタの遮断周波数ｆｃが０．５５・（Ｖ／Ｌｃ）≦ｆｃ≦０．８４・（Ｖ／Ｌｃ）を満たすように前記遮断周波数ｆｃを変化させる手段を備えたことを特徴とする多値情報の再生装置。
【発明の詳細な説明】
【技術分野】
【０００１】
この発明は、光ディスク等の記録媒体にレーザ光などの記録光を照射して多値データを再生する際にノイズを低減させて再生する多値情報の再生方法及び多値情報の再生装置に関する。
【背景技術】
【０００２】
近年、記録容量の増大を目的に多値記録技術が開発されている。
最近はホームユーザでも普通に容量の大きいオーディオデータや画像／動画データを扱うようになり、また一方、ハードディスクも大容量化が進み、ＣＤやＤＶＤ系の記録媒体では記録容量が足りなくなってきている。
そんな中で、従来型の光記録媒体の容量を高める記録方式として、「多値記録技術（Ｍｕｌｔｉ  Ｌｅｖｅｌ  Ｔｅｃｈｎｏｌｏｇｙ）」が、米国のベンチャー企業カリメトリクス社（Ｃａｌｉｍｅｔｒｉｃｓ，  Ｉｎｃ．：登録商標）から提案されている。
その多値記録技術は、簡単に言えば、記録線密度を向上させるものである。
従来のＣＤやＤＶＤ系の記録媒体では、記録するデータ列に応じて各記録マーク端部の位置や長さを変えて記録し、再生時に記録マークの長さを判定するスライス方式が用いられている。
【０００３】
次に、現行のスライス方式について簡単に説明する。
図８に示すように、まず記録すべき情報である記録データ（同図の（ａ））に対応した記録波形（同図の（ｂ））を用いて、記録媒体に記録マーク列（同図の（ｃ））を形成させる。
その記録媒体に記録された記録マーク列（同図の（ｃ））に再生光を照射して情報を再生すると、同図の（ｄ）に示すような再生信号波形が得られる。
その再生信号波形は、同図の（ｂ）に示す記録波形のような矩形波とはならず鈍った波形になるため、再生信号波形を等化器で整形する（具体的には再生信号の高周波成分が増幅される）。
【０００４】
次いで、その等化波形（同図の（ｅ））と閾値との交点を検出し、ウインドウ内で交点が検出されれば「１」とし、交点が検出されなければ「０」として２値データを出力する（同図の（ｆ））。
そして、その交点検出に得られた２値データ（同図の（ｆ））をＮＲＺ変換することによって、同図の（ｇ）に示すような復号データを得ている。
これに対して多値記録では、記録マークの記録単位（基本セル）内に、記録するマークの反射率の多値化で情報を表現する。
即ち、従来のＣＤやＤＶＤ系の記録媒体では、記録マークの有無で１ビットを表現しているが、多値記録では、記録マークの大きさを例えば８種類に変えて記録し、８つのレベルの異なる反射レベルとして読み出す（図９参照）。
【０００５】
従って、１つの記録マークで３ビット分の情報を表わすことができるため、記録密度を高めることができる。
その多値記録では、通常、再生時のレーザ光のビームスポット径は基本セル長よりも大きい。
それによって、１つの記録マークで３ビット分の信号を表現することができるため、トラックピッチを詰めることなく記録線密度を上げ、記録容量を増加させることができる。
そのような多値情報を記録可能な記録媒体に関しては、例えば特許文献１〜７等に記載されている。
【０００６】
ところで、本来、記録媒体の均一性やシステムの安定性が理想的であれば、同一の大きさ及び／又は深さが同一である記録マークからの再生信号レベルは同一である筈である。
しかしながら、記録媒体には微小な欠陥や膜厚ムラがあり、基板案内溝の幅や深さのバラツキや偏芯等が存在する。
さらには、記録媒体のチルト（傾き）等の機械特性やプラスチック基板の複屈折のバラツキ（不均一性）が存在する。
システムの面では、レーザの波長や出力の安定性、あるいはレーザノイズ、ディスク回転の精度、フォーカスサーボ、トラッキングサーボの追従性の変動等が存在する。
したがって、同一の大きさ及び／又は深さが同一である記録マークからの再生信号レベルは完全に等しくなることはなく、ある範囲で分布を持つことになる。
【０００７】
その同一の大きさ及び／又は深さが同一である記録マークからの再生信号レベルの分布（バラツキ）は、特に各記録マークの再生信号レベルを判定する多値情報記録システムにおいては、エラー率を悪化させる恐れがあるため、出来る限り排除する必要があり、そのための対策の１つとして、最再生信号をローパスフィルタ（ＬＰＦ）に通して再生信号の平滑化（高周波成分の除去）を行う場合がある。
図１０は、ディスク状の記録媒体に８値の多値レベルを繰り返して記録した場合の再生信号レベルの周内の変動を示した図である。
この図からわかるように、上述した要因によって、同一とならなければいけない筈の同一多値レベルの再生信号レベルが変動を起こしてしまう（分布を持つ）。
【０００８】
そのようなディスク１周内で生じるような再生信号レベルの変動は、例えば図１１に示すように、ハイパスフィルタ（ＨＰＦ）を用いることによって除去できる。
そのようなＨＰＦによる再生信号レベルの周内変動を抑制することで、従来の２値記録では十分な特性改善効果が得られていた。
しかしながら、そのような再生信号レベルの変動はディスク状の記録媒体の周内だけで生じているものではなく、もっと微細な領域、例えば記録単位の中でも生じている。
その様子を調べて得た波形を図１２に示す。
図１２では、多値レベル０−１−０と記録した部分からの再生信号を拡大した波形を示している。
【０００９】
このように、再生信号レベルは非常に高い周波数のノイズ成分を有している。
多値情報記録システムでは、各記録マークの再生信号レベルをダイレクトに判定するため、従来には大きな影響がなかった微小なノイズ変動であっても致命的な欠陥になってしまう。
そこで従来は、上記ＨＰＦの通過後に、ＬＰＦによって記録単位周波数以上の高域ノイズを低減させて、図１３に示すような再生信号を得ていた。
【特許文献１】特開２００１−１８４６４７号公報
【特許文献２】特開２００２−２５１１４号公報
【特許文献３】特開２００２−８３４４５号公報
【特許文献４】特開２００２−３３４４３８号公報
【特許文献５】特開２００２−３５２４２８号公報
【特許文献６】特開２００２−３５２４２９号公報
【特許文献７】特開２００２−３６７１８２号公報
【発明の開示】
【発明が解決しようとする課題】
【００１０】
しかしながら、従来のＬＰＦにおけるノイズの除去では最適条件に基づいて行うものではなかったので、再生信号に含まれるノイズ（高周波成分）を有効に除去することができないという問題があった。また、高再生速度化や装置間の差異性を考慮した設計がなされていなかったという問題もあった。
この発明は上記の点に鑑みてなされたものであり、再生信号に含まれるノイズ（高周波成分）を有効に除去し、多値情報の記録の信頼性を大幅に向上させることを目的とする。
【課題を解決するための手段】
【００１１】
この発明は上記の目的を達成するため、次の多値情報の再生方法と多値情報の再生装置を提供する。
（１）記録媒体上に記録マークを一定周期の記録単位時間Ｔｃで形成し、再生光の照射によって、上記記録単位時間Ｔｃ内に形成された記録マークの大きさ及び／又は深さの違いによる互いに異なるα種類（α≧３，αは整数）の再生信号のレベルを検出して上記記録マークに基づく情報を再生し、上記再生光の照射によって得られる再生信号をサンプリング間隔Ｔｓによってサンプリングし、そのサンプリングによって得られたデータの移動平均値をとって平滑化するとき、｛（移動平均標本数）−１｝×Ｔｓで定義される移動平均範囲τが、０．５≦（τ／Ｔｃ）≦１．０を満たすようにする多値情報の再生方法。
【００１２】
（２）記録媒体上に記録マークを一定周期の記録単位時間Ｔｃで形成し、再生光の照射によって、上記記録単位時間Ｔｃ内に形成された記録マークの大きさ及び／又は深さの違いによる互いに異なるα種類（α≧３，αは整数）の再生信号のレベルを検出して上記記録マークに基づく情報を再生し、上記再生光の照射によって得られる再生信号をサンプリング間隔Ｔｓによってサンプリングし、そのサンプリングによって得られたデータの移動平均値をとって平滑化するとき、｛（移動平均標本数）−１｝×Ｔｓで定義される移動平均範囲τが、０．６≦（τ／Ｔｃ）≦０．９を満たすようにする多値情報の再生方法。
【００１３】
（３）記録媒体上に記録マークを一定周期の記録単位の物理的長さＬｃで形成し、再生光の照射によって、上記物理的長さＬｃで形成された記録マークの大きさ及び／又は深さの違いによる互いに異なるα種類（α≧３，αは整数）の再生信号レベルを検出して上記記録マークに基づく情報を再生し、上記再生光の照射によって得られる再生信号をサンプリング間隔Ｔｓによってサンプリングし、そのサンプリングによって得られたデータの移動平均値をとって平滑化するとき、上記再生の再生速度Ｖに応じて、｛（移動平均標本数）−１｝×Ｔｓで定義される移動平均範囲τが０．５≦（τ／Ｌｃ）・Ｖ≦１．０を満たすように上記サンプリング間隔Ｔｓ及び／又は上記移動平均標本数を変化させる多値情報の再生方法。
【００１４】
（４）記録媒体上に記録マークを一定周期の記録単位の物理的長さＬｃで形成し、再生光の照射によって、上記物理的長さＬｃで形成された記録マークの大きさ及び／又は深さの違いによる互いに異なるα種類（α≧３，αは整数）の再生信号レベルを検出して上記記録マークに基づく情報を再生し、上記再生光の照射によって得られる再生信号をサンプリング間隔Ｔｓによってサンプリングし、そのサンプリングによって得られたデータの移動平均値をとって平滑化するとき、上記再生の再生速度Ｖに応じて、｛（移動平均標本数）−１｝×Ｔｓで定義される移動平均範囲τが０．６≦（τ／Ｌｃ）・Ｖ≦０．９を満たすように上記サンプリング間隔Ｔｓ及び／又は上記移動平均標本数を変化させる多値情報の再生方法。
【００１５】
（５）記録媒体上に記録マークを一定周期の記録単位の周波数ｆｃｅｌｌで形成し、再生光の照射によって、上記周波数ｆｃｅｌｌで形成された記録マークの大きさ及び／又は深さの違いによる互いに異なるα種類（α≧３，αは整数）の再生信号レベルを検出して上記記録マークに基づく情報を再生し、上記再生光の照射によって得られる再生信号のノイズをローパスフィルタによって除去するとき、上記ローパスフィルタの遮断周波数ｆｃが、０．５０・ｆｃｅｌｌ≦ｆｃ≦１．００・ｆｃｅｌｌを満たすようにする多値情報の再生方法。
【００１６】
（６）記録媒体上に記録マークを一定周期の記録単位の周波数ｆｃｅｌｌで形成し、再生光の照射によって、上記周波数ｆｃｅｌｌで形成された記録マークの大きさ及び／又は深さの違いによる互いに異なるα種類（α≧３，αは整数）の再生信号レベルを検出して上記記録マークに基づく情報を再生し、上記再生光の照射によって得られる再生信号のノイズをローパスフィルタによって除去するとき、上記ローパスフィルタの遮断周波数ｆｃが、０．５５・ｆｃｅｌｌ≦ｆｃ≦０．８４・ｆｃｅｌｌを満たすようにする多値情報の再生方法。
【００１７】
（７）記録媒体上に記録マークを一定周期の記録単位の物理的長さＬｃで形成し、再生光の照射によって、上記物理的長さＬｃで形成された記録マークの大きさ及び／又は深さの違いによる互いに異なるα種類（α≧３，αは整数）の再生信号レベルを検出して上記記録マークに基づく情報を再生し、上記再生光の照射によって得られる再生信号のノイズをローパスフィルタによって除去するとき、上記再生の再生速度Ｖに応じて、上記ローパスフィルタの遮断周波数ｆｃが０．５０・（Ｖ／Ｌｃ）≦ｆｃ≦１．００・（Ｖ／Ｌｃ）を満たすように上記遮断周波数ｆｃを変化させる多値情報の再生方法。
【００１８】
（８）記録媒体上に記録マークを一定周期の記録単位の物理的長さＬｃで形成し、再生光の照射によって、上記物理的長さＬｃで形成された記録マークの大きさ及び／又は深さの違いによる互いに異なるα種類（α≧３，αは整数）の再生信号レベルを検出して上記記録マークに基づく情報を再生し、上記再生光の照射によって得られる再生信号のノイズをローパスフィルタによって除去するとき、上記再生の再生速度Ｖに応じて、上記ローパスフィルタの遮断周波数ｆｃが０．５５・（Ｖ／Ｌｃ）≦ｆｃ≦１．８４・（Ｖ／Ｌｃ）を満たすように上記遮断周波数ｆｃを変化させる多値情報の再生方法。
【００１９】
（９）記録媒体上に記録マークを一定周期の記録単位時間Ｔｃで形成し、再生光の照射によって、上記記録単位時間Ｔｃ内に形成された記録マークの大きさ及び／又は深さの違いによる互いに異なるα種類（α≧３，αは整数）の再生信号のレベルを検出して上記記録マークに基づく情報を再生する多値情報の再生装置であって、上記再生光の照射によって得られる再生信号をサンプリング間隔Ｔｓによってサンプリングする手段と、その手段によるサンプリングによって得られたデータの移動平均値をとって平滑化する手段と、｛（移動平均標本数）−１｝×Ｔｓで定義される移動平均範囲τが、０．５≦（τ／Ｔｃ）≦１．０を満たすように制御する手段を備えた多値情報の再生装置。
【００２０】
（１０）記録媒体上に記録マークを一定周期の記録単位時間Ｔｃで形成し、再生光の照射によって、上記記録単位時間Ｔｃ内に形成された記録マークの大きさ及び／又は深さの違いによる互いに異なるα種類（α≧３，αは整数）の再生信号のレベルを検出して上記記録マークに基づく情報を再生する多値情報の再生装置であって、上記再生光の照射によって得られる再生信号をサンプリング間隔Ｔｓによってサンプリングする手段と、その手段によるサンプリングによって得られたデータの移動平均値をとって平滑化する手段と、｛（移動平均標本数）−１｝×Ｔｓで定義される移動平均範囲τが、０．６≦（τ／Ｔｃ）≦０．９を満たすように制御する手段を備えた多値情報の再生装置。
【００２１】
（１１）記録媒体上に記録マークを一定周期の記録単位の物理的長さＬｃで形成し、再生光の照射によって、上記物理的長さＬｃで形成された記録マークの大きさ及び／又は深さの違いによる互いに異なるα種類（α≧３，αは整数）の再生信号レベルを検出して上記記録マークに基づく情報を再生する多値情報の再生装置であって、上記再生光の照射によって得られる再生信号をサンプリング間隔Ｔｓによってサンプリングする手段と、その手段によるサンプリングによって得られたデータの移動平均値をとって平滑化する手段と、上記再生の再生速度Ｖに応じて、｛（移動平均標本数）−１｝×Ｔｓで定義される移動平均範囲τが０．５≦（τ／Ｌｃ）・Ｖ≦１．０を満たすように上記サンプリング間隔Ｔｓ及び／又は上記移動平均標本数を変化させる手段を備えた多値情報の再生装置。
【００２２】
（１２）記録媒体上に記録マークを一定周期の記録単位の物理的長さＬｃで形成し、再生光の照射によって、上記物理的長さＬｃで形成された記録マークの大きさ及び／又は深さの違いによる互いに異なるα種類（α≧３，αは整数）の再生信号レベルを検出して上記記録マークに基づく情報を再生する多値情報の再生装置であって、上記再生光の照射によって得られる再生信号をサンプリング間隔Ｔｓによってサンプリングする手段と、その手段によるサンプリングによって得られたデータの移動平均値をとって平滑化する手段と、上記再生の再生速度Ｖに応じて、｛（移動平均標本数）−１｝×Ｔｓで定義される移動平均範囲τが０．６≦（τ／Ｌｃ）・Ｖ≦０．９を満たすように上記サンプリング間隔Ｔｓ及び／又は上記移動平均標本数を変化させる手段を備えた多値情報の再生装置。
【００２３】
（１３）記録媒体上に記録マークを一定周期の記録単位の周波数ｆｃｅｌｌで形成し、再生光の照射によって、上記周波数ｆｃｅｌｌで形成された記録マークの大きさ及び／又は深さの違いによる互いに異なるα種類（α≧３，αは整数）の再生信号レベルを検出して上記記録マークに基づく情報を再生する多値情報の再生装置であって、上記再生光の照射によって得られる再生信号のノイズを除去するローパスフィルタと、そのローパスフィルタの遮断周波数ｆｃが、０．５０・ｆｃｅｌｌ≦ｆｃ≦１．００・ｆｃｅｌｌを満たすように制御する手段を備えた多値情報の再生装置。
【００２４】
（１４）記録媒体上に記録マークを一定周期の記録単位の周波数ｆｃｅｌｌで形成し、再生光の照射によって、上記周波数ｆｃｅｌｌで形成された記録マークの大きさ及び／又は深さの違いによる互いに異なるα種類（α≧３，αは整数）の再生信号レベルを検出して上記記録マークに基づく情報を再生する多値情報の再生装置であって、上記再生光の照射によって得られる再生信号のノイズを除去するローパスフィルタと、そのローパスフィルタの遮断周波数ｆｃが、０．５５・ｆｃｅｌｌ≦ｆｃ≦０．８４・ｆｃｅｌｌを満たすように制御する手段を備えた多値情報の再生装置。
【００２５】
（１５）記録媒体上に記録マークを一定周期の記録単位の物理的長さＬｃで形成し、再生光の照射によって、上記物理的長さＬｃで形成された記録マークの大きさ及び／又は深さの違いによる互いに異なるα種類（α≧３，αは整数）の再生信号レベルを検出して上記記録マークに基づく情報を再生する多値情報の再生装置であって、上記再生光の照射によって得られる再生信号のノイズを除去するローパスフィルタと、上記再生の再生速度Ｖに応じて、上記ローパスフィルタの遮断周波数ｆｃが０．５０・（Ｖ／Ｌｃ）≦ｆｃ≦１．００・（Ｖ／Ｌｃ）を満たすように上記遮断周波数ｆｃを変化させる手段を備えた多値情報の再生装置。
【００２６】
（１６）記録媒体上に記録マークを一定周期の記録単位の物理的長さＬｃで形成し、再生光の照射によって、上記物理的長さＬｃで形成された記録マークの大きさ及び／又は深さの違いによる互いに異なるα種類（α≧３，αは整数）の再生信号レベルを検出して上記記録マークに基づく情報を再生する多値情報の再生装置であって、上記再生光の照射によって得られる再生信号のノイズを除去するローパスフィルタと、上記再生の再生速度Ｖに応じて、上記ローパスフィルタの遮断周波数ｆｃが０．５５・（Ｖ／Ｌｃ）≦ｆｃ≦０．８４・（Ｖ／Ｌｃ）を満たすように上記遮断周波数ｆｃを変化させる手段を備えた多値情報の再生装置。
【００２７】
この実施例は、再生光のビーム径よりも小さな記録単位から得られる多値情報の信頼性を高めるものであり、各記録単位に含まれるノイズ成分を除去することができる。
【発明の効果】
【００２８】
この発明による多値情報の再生方法と多値情報の再生装置は、再生信号に含まれるノイズ（高周波成分）を有効に除去し、多値情報の記録の信頼性を大幅に向上させることができる。
【発明を実施するための最良の形態】
【００２９】
以下、この発明を実施するための最良の形態を図面に基づいて具体的に説明する。
〔実施例〕
図１は、この発明の実施例の情報記録再生装置の構成を示すブロック図である。
この情報記録再生装置は、例えばＤＶＤ＋ＲＷディスクにデータを記録するＤＶＤ＋ＲＷドライブを含む光ディスクドライブであり、ＤＶＤ＋Ｒディスク，ＤＶＤ＋ＲＷディスクを含む多値情報の記録及び再生が可能な光ディスク（情報記録媒体）１２を回転させるスピンドルモータ（図中「モータ」と略称する）１と、そのモータ１の回転を制御する回転制御系部４と、光ディスク１２に多値情報の記録及び再生のためのレーザ光Ｌを照射する光ピックアップ２と、その光ピックアップ２によるレーザ光Ｌの発光駆動等の制御を行う光ピックアップ制御系部６と、光ピックアップ２を光ディスク１２の半径方向に移動させる粗動モータ３と、その粗動モータ３の回転駆動制御を行う粗動モータ制御系部５を備えている。
【００３０】
また、光ピックアップ２からの再生信号と光ピックアップ２への記録信号の入出力を制御する信号処理系部７と、ＣＰＵ，ＲＯＭ及びＲＡＭ等からなるマイクロコンピュータによって実現され、図示を省略したＲＯＭやＲＡＭ等のメモリにこの発明に係る多値情報の再生方法を実行させるプログラムも含む各種のプログラムを記録し、そのプログラムの手順を実行することによってこの発明に係る多値情報の再生装置の各手段（ＬＰＦも含む）の機能を実現するコントローラ９を備えている。
さらに、光ディスク１２に記録するデータ及び光ディスク１２から再生した多値情報を一時的に格納すると共に、コントローラ９が各種の処理を実行する際に多値情報を一時的に記憶する領域として利用するキャッシュメモリ８と、外部に接続したホストコンピュータ１１とデータのやり取りをするための外部インタフェース１０も備えている。
【００３１】
上記コントローラ９は、記録媒体上に記録マークを一定周期の記録単位時間Ｔｃで形成し、再生光の照射によって、上記記録単位時間Ｔｃ内に形成された記録マークの大きさ及び／又は深さの違いによる互いに異なるα種類（α≧３，αは整数）の再生信号のレベルを検出して上記記録マークに基づく情報を再生し、上記再生光の照射によって得られる再生信号をサンプリング間隔Ｔｓによってサンプリングし、そのサンプリングによって得られたデータの移動平均値をとって平滑化するとき、｛（移動平均標本数）−１｝×Ｔｓで定義される移動平均範囲τが、０．５≦（τ／Ｔｃ）≦１．０を満たすようにする処理を行う。
【００３２】
また、記録媒体上に記録マークを一定周期の記録単位時間Ｔｃで形成し、再生光の照射によって、上記記録単位時間Ｔｃ内に形成された記録マークの大きさ及び／又は深さの違いによる互いに異なるα種類（α≧３，αは整数）の再生信号のレベルを検出して上記記録マークに基づく情報を再生し、上記再生光の照射によって得られる再生信号をサンプリング間隔Ｔｓによってサンプリングし、そのサンプリングによって得られたデータの移動平均値をとって平滑化するとき、｛（移動平均標本数）−１｝×Ｔｓで定義される移動平均範囲τが、０．６≦（τ／Ｔｃ）≦０．９を満たすようにする処理を行う。
【００３３】
さらに、記録媒体上に記録マークを一定周期の記録単位の物理的長さＬｃで形成し、再生光の照射によって、上記物理的長さＬｃで形成された記録マークの大きさ及び／又は深さの違いによる互いに異なるα種類（α≧３，αは整数）の再生信号レベルを検出して上記記録マークに基づく情報を再生し、上記再生光の照射によって得られる再生信号をサンプリング間隔Ｔｓによってサンプリングし、そのサンプリングによって得られたデータの移動平均値をとって平滑化するとき、上記再生の再生速度Ｖに応じて、｛（移動平均標本数）−１｝×Ｔｓで定義される移動平均範囲τが０．５≦（τ／Ｌｃ）・Ｖ≦１．０を満たすように上記サンプリング間隔Ｔｓ及び／又は上記移動平均標本数を変化させる処理を行う。
【００３４】
また、記録媒体上に記録マークを一定周期の記録単位の物理的長さＬｃで形成し、再生光の照射によって、上記物理的長さＬｃで形成された記録マークの大きさ及び／又は深さの違いによる互いに異なるα種類（α≧３，αは整数）の再生信号レベルを検出して上記記録マークに基づく情報を再生し、上記再生光の照射によって得られる再生信号をサンプリング間隔Ｔｓによってサンプリングし、そのサンプリングによって得られたデータの移動平均値をとって平滑化するとき、上記再生の再生速度Ｖに応じて、｛（移動平均標本数）−１｝×Ｔｓで定義される移動平均範囲τが０．６≦（τ／Ｌｃ）・Ｖ≦０．９を満たすように上記サンプリング間隔Ｔｓ及び／又は上記移動平均標本数を変化させる処理を行う。
【００３５】
さらに、記録媒体上に記録マークを一定周期の記録単位の周波数ｆｃｅｌｌで形成し、再生光の照射によって、上記周波数ｆｃｅｌｌで形成された記録マークの大きさ及び／又は深さの違いによる互いに異なるα種類（α≧３，αは整数）の再生信号レベルを検出して上記記録マークに基づく情報を再生し、上記再生光の照射によって得られる再生信号のノイズをローパスフィルタによって除去するとき、上記ローパスフィルタの遮断周波数ｆｃが、０．５０・ｆｃｅｌｌ≦ｆｃ≦１．００・ｆｃｅｌｌを満たすようにする処理を行う。
【００３６】
また、記録媒体上に記録マークを一定周期の記録単位の周波数ｆｃｅｌｌで形成し、再生光の照射によって、上記周波数ｆｃｅｌｌで形成された記録マークの大きさ及び／又は深さの違いによる互いに異なるα種類（α≧３，αは整数）の再生信号レベルを検出して上記記録マークに基づく情報を再生し、上記再生光の照射によって得られる再生信号のノイズをローパスフィルタによって除去するとき、上記ローパスフィルタの遮断周波数ｆｃが、０．５５・ｆｃｅｌｌ≦ｆｃ≦０．８４・ｆｃｅｌｌを満たすようにする処理を行う。
【００３７】
さらに、記録媒体上に記録マークを一定周期の記録単位の物理的長さＬｃで形成し、再生光の照射によって、上記物理的長さＬｃで形成された記録マークの大きさ及び／又は深さの違いによる互いに異なるα種類（α≧３，αは整数）の再生信号レベルを検出して上記記録マークに基づく情報を再生し、上記再生光の照射によって得られる再生信号のノイズをローパスフィルタによって除去するとき、上記再生の再生速度Ｖに応じて、上記ローパスフィルタの遮断周波数ｆｃが０．５０・（Ｖ／Ｌｃ）≦ｆｃ≦１．００・（Ｖ／Ｌｃ）を満たすように上記遮断周波数ｆｃを変化させる処理を行う。
【００３８】
さらにまた、記録媒体上に記録マークを一定周期の記録単位の物理的長さＬｃで形成し、再生光の照射によって、上記物理的長さＬｃで形成された記録マークの大きさ及び／又は深さの違いによる互いに異なるα種類（α≧３，αは整数）の再生信号レベルを検出して上記記録マークに基づく情報を再生し、上記再生光の照射によって得られる再生信号のノイズをローパスフィルタによって除去するとき、上記再生の再生速度Ｖに応じて、上記ローパスフィルタの遮断周波数ｆｃが０．５５・（Ｖ／Ｌｃ）≦ｆｃ≦１．８４・（Ｖ／Ｌｃ）を満たすように上記遮断周波数ｆｃを変化させる処理を行う。
【００３９】
すなわち、記録媒体上に記録マークを一定周期の記録単位時間Ｔｃで形成し、再生光の照射によって、上記記録単位時間Ｔｃ内に形成された記録マークの大きさ及び／又は深さの違いによる互いに異なるα種類（α≧３，αは整数）の再生信号のレベルを検出して上記記録マークに基づく情報を再生する手段と、上記再生光の照射によって得られる再生信号をサンプリング間隔Ｔｓによってサンプリングする手段と、その手段によるサンプリングによって得られたデータの移動平均値をとって平滑化する手段と、｛（移動平均標本数）−１｝×Ｔｓで定義される移動平均範囲τが、０．５≦（τ／Ｔｃ）≦１．０を満たすように制御する手段の機能を果たす。
【００４０】
また、上記再生光の照射によって得られる再生信号をサンプリング間隔Ｔｓによってサンプリングする手段と、その手段によるサンプリングによって得られたデータの移動平均値をとって平滑化する手段と、｛（移動平均標本数）−１｝×Ｔｓで定義される移動平均範囲τが、０．６≦（τ／Ｔｃ）≦０．９を満たすように制御する手段の機能を果たす。
さらに、上記再生光の照射によって得られる再生信号をサンプリング間隔Ｔｓによってサンプリングする手段と、その手段によるサンプリングによって得られたデータの移動平均値をとって平滑化する手段と、上記再生の再生速度Ｖに応じて、｛（移動平均標本数）−１｝×Ｔｓで定義される移動平均範囲τが０．５≦（τ／Ｌｃ）・Ｖ≦１．０を満たすように上記サンプリング間隔Ｔｓ及び／又は上記移動平均標本数を変化させる手段の機能を果たす。
【００４１】
また、上記再生光の照射によって得られる再生信号をサンプリング間隔Ｔｓによってサンプリングする手段と、その手段によるサンプリングによって得られたデータの移動平均値をとって平滑化する手段と、上記再生の再生速度Ｖに応じて、｛（移動平均標本数）−１｝×Ｔｓで定義される移動平均範囲τが０．６≦（τ／Ｌｃ）・Ｖ≦０．９を満たすように上記サンプリング間隔Ｔｓ及び／又は上記移動平均標本数を変化させる手段の機能を果たす。
さらに、上記再生光の照射によって得られる再生信号のノイズを除去するローパスフィルタと、そのローパスフィルタの遮断周波数ｆｃが、０．５０・ｆｃｅｌｌ≦ｆｃ≦１．００・ｆｃｅｌｌを満たすように制御する手段の機能を果たす。
【００４２】
また、上記再生光の照射によって得られる再生信号のノイズを除去するローパスフィルタと、そのローパスフィルタの遮断周波数ｆｃが、０．５５・ｆｃｅｌｌ≦ｆｃ≦０．８４・ｆｃｅｌｌを満たすように制御する手段の機能を果たす。
さらに、上記再生光の照射によって得られる再生信号のノイズを除去するローパスフィルタと、上記再生の再生速度Ｖに応じて、上記ローパスフィルタの遮断周波数ｆｃが０．５０・（Ｖ／Ｌｃ）≦ｆｃ≦１．００・（Ｖ／Ｌｃ）を満たすように上記遮断周波数ｆｃを変化させる手段の機能も果たす。
【００４３】
さらにまた、上記再生光の照射によって得られる再生信号のノイズを除去するローパスフィルタと、上記再生の再生速度Ｖに応じて、上記ローパスフィルタの遮断周波数ｆｃが０．５５・（Ｖ／Ｌｃ）≦ｆｃ≦０．８４・（Ｖ／Ｌｃ）を満たすように上記遮断周波数ｆｃを変化させる手段の機能も果たす。
【００４４】
ホストコンピュータ１１は、ＣＰＵ，ＲＯＭ及びＲＡＭ等からなるマイクロコンピュータによって実現され、この情報記録再生装置に対する多値情報の記録及び多値情報の再生を指示する。また、多値情報の生成や情報記録再生装置から取得した多値情報を利用する処理も行う。
【００４５】
この情報記録再生装置は、多値情報が記録された光ディスク１２に再生光を照射し、サンプリング間隔Ｔｓで再生信号レベルをサンプリングする。
その時、当然ながら、サンプリング間隔ＴｓはＴｓ＜Ｔｃを満足する必要がある。
サンプリング間隔Ｔｓでサンプリングされたデータ（再生信号レベル）Ｓ（ｔ）は、記録単位内で発生するノイズ成分を除去するために移動平均処理を施す。
その移動平均処理をとることによって、任意時刻のサンプリングデータＹ（ｔ）は、数１に基づく処理によって変換される。
【００４６】
【数１】
2006236498.tif 000003
【００４７】
数１中の（２ｎ＋１）は移動平均を求めるための標本数、いわゆる移動平均標本数である（図２参照）。
その移動平均によるノイズ除去に際しては、サンプリング間隔Ｔｓと移動平均の標本数には最適条件が存在する。
その最適条件とは、０．５≦（τ／Ｔｃ）≦１．０であり、更に好ましくは、０．６≦（τ／Ｔｃ）≦０．９である。
なお、τは｛（移動平均標本数）−１｝×Ｔｓで定義される値であり、数２に基づく演算によって求められ、移動平均として利用されるサンプリングデータの時間範囲を示すパラメータである（図２に示すように、Ｓ（０）のサンプリングデータの平滑化を行うのに、Ｓ（０）より時間的に前のｎ個のサンプリングデータと、Ｓ（０）より時間的に後のｎ個のサンプリングデータを用いるとすると、移動平均標本数は２ｎ＋１個となる）。
【００４８】
【数２】
2006236498.tif 000004
【００４９】
この情報記録再生装置における条件を満足するようにサンプリングデータの平滑化を行うことで、図１２に示したようなノイジーな再生信号は、図１３に示したように、各記録単位からの微小情報（信号）を損なうことなくノイズ成分が最適に除去される。
ここで、（τ／Ｔｃ）＜０．５であると、記録単位内で発生するノイズ成分が十分除去されず、十分な再生信頼性（エラー率）を得ることができない場合がある。
一方、（τ／Ｔｃ）＞１．０であると、折角記録されている微小記録マークからの再生信号が、隣接する記録単位からの再生信号と平滑化される割合が高まるため、高周波の再生信号（情報）が消失してしまう。
その様子について簡単に説明する。
【００５０】
図３は、多値レベル７−０−７−０−７−０−７−０−７−０−７を記録した部分を再生した時の再生信号の波形図である。
凡例は、移動平均の標本数とτ／Ｔｃ（カッコ内）を示す。
この図３から明らかなように、τ／Ｔｃが１を越えると、隣接する記録単位の再生信号レベルとともに平滑化されてしまうため、再生光のビーム径に対して微小な記録単位から得られる信号が消失してしまう（多値レベル７の振幅が急激に減少する）。
【００５１】
次に、サンプリング間隔Ｔｓと、移動平均の標本数の最適条件である０．５≦（τ／Ｔｃ）≦１．０についてその妥当性を検証する。
ところで、多値情報の記録において、記録マークの品質を評価するための指標として、例えばＳＤＲが用いられる。
ＳＤＲとは２値記録でのジッタに相当する指標であり、ｉ種類（０〜α）からなる多値レベルｍｉの各再生信号レベルをＲｉ（０〜α）、多値レベルｍｉの再生信号レベルの標準偏差をσｍｉとすると、数３に基づく演算処理で求められる値である。
【００５２】
【数３】
2006236498.tif 000005
【００５３】
ここで、τとＴｃの比を変えて、ＳＤＲの移動平均標本数の依存性について説明する。
なお、記録再生条件は以下の通りである。
・記録再生波長：４０５ｎｍ
・対物レンズＮＡ：０．６５
・再生光ビーム径：約０．５４μｍ
・記録単位長さＬｃ：０．２４μｍ
・多値レベル数：８
その結果は、図４に示すとおりである。
【００５４】
図４において、縦軸のＳＤＲ値はτ／Ｔｃが最小値の時に得られたＳＤＲ値で規格した値である。図中の破線で示す第１の有効範囲は０．５≦（τ／Ｔｃ）≦１．０を示しており、第２の有効範囲は０．６≦（τ／Ｔｃ）≦０．９を示している。
図５は、上記記録再生条件における記録再生によって最小のＳＤＲが得られたときの標本数を示した図である。図中の破線で示す第１の有効範囲は０．５≦（τ／Ｔｃ）≦１．０を示しており、第２の有効範囲は０．６≦（τ／Ｔｃ）≦０．９を示している。
以上の結果から、この情報記録再生装置では、０．５≦（τ／Ｔｃ）≦１．０、さらに好ましくは、０．６≦（τ／Ｔｃ）≦０．９という条件が非常に有効であることが明らかである。
【００５５】
次いで、この情報記録再生装置の再生速度との関係についての関係式０．５≦（τ／Ｌｃ）・Ｖ≦１．０、さらに好ましくは、０．６≦（τ／Ｌｃ）・Ｖ≦０．９の有効性について説明する。
ここでＬｃは、記録単位の物理的長さ（再生光の走査方向）である。
例えば、サンプリング間隔Ｔｓと移動平均標本数が固定の場合、高転送レート化を図ろうとして再生速度を高めた場合、再生速度の高速化によって記録単位時間Ｔｃが短くなるため、標準の再生速度に対して再生速度が高まるとτ／Ｔｃが大きくなってしまう。
τ／Ｔｃが大きくなると、上述したように、隣接する記録単位からの再生信号を加えて平滑化する割合が高まるため、微小な記録単位からの情報が消失してしまう。
【００５６】
これを防ぐために、この情報記録再生装置では、再生速度に応じてサンプリング間隔Ｔｓ及び／又は移動平均標本数を制御する。
その制御処理は、０．５≦（τ／Ｔｃ）≦１．０という条件を満足するものであれば、任意で構わない。
例えば、サンプリング間隔Ｔｓが固定の再生装置において再生速度を速めた場合、移動平均標本数を減らすことが有効である。
あるいは、移動平均標本数を固定させて再生速度を速めた場合、サンプリング間隔Ｔｓを短くすることが有効である。
【００５７】
図６は、記録単位の長さを０．２４（μｍ）、サンプリング間隔Ｔｓを５（ｎｓ）とした時、再生速度が３．０（ｍ／ｓ）の場合（記録単位時間Ｔｃ＝８０ｎｓ）の最適標本数と、再生速度を４．０（ｍ／ｓ）の場合（記録単位時間Ｔｃ＝６０ｎｓ）の最適標本数の一例を示した図である。図中の破線で示す第１の有効範囲は０．５≦（τ／Ｔｃ）≦１．０を示しており、第２の有効範囲は０．６≦（τ／Ｔｃ）≦０．９を示している。
なお、最適標本数とは最小のＳＤＲ値が得られる移動平均算出のための標本数である。
図６に示した結果から、サンプリング間隔Ｔｓが固定の場合は、再生速度が速まるほど移動平均標本数を少なくすることが有効であることが確認できる。
【００５８】
図７は、記録単位の長さを０．２４（μｍ）、再生速度を８．０（ｍ／ｓ）とした時（記録単位時間Ｔｃ＝３０ｎｓ）、サンプリング間隔Ｔｓが５（ｎｓ）の場合の最適標本数と、サンプリング間隔Ｔｓが１（ｎｓ）の場合の最適標本数の一例を示した図である。図中の破線で示す第１の有効範囲は０．５≦（τ／Ｔｃ）≦１．０を示しており、第２の有効範囲は０．６≦（τ／Ｔｃ）≦０．９を示している。
なお、最適標本数とは最小のＳＤＲ値が得られる移動平均算出のための標本数である。
図７に示した結果から、再生速度が固定でサンプリング間隔Ｔｓが可変の場合は（あるいは異なる場合）、サンプリング間隔Ｔｓが短くなるほど移動平均標本数を増やすことが有効であることが確認できる（逆に言えば、サンプリング間隔Ｔｓが長くなるほど移動平均標本数を減らすことが有効である）。
【００５９】
その場合、通常、基準のサンプリング間隔Ｔｓに対するサンプリング間隔Ｔｓの増加割合／減少割合と同じ割合だけ基準の移動平均標本数を減少／増加させればよい。
例えば、サンプリング間隔Ｔｓが１／ｎに短くなった場合、移動平均標本数をｎ倍にする。
以上の結果から、この情報記録再生装置によれば、信頼性の高い多値記録情報の再生が行えることが明らかである。
すなわち、将来再生速度が高速化された場合であっても、信頼性の高い多値記録情報の再生が行える。
【００６０】
また、Ｌｃ、Ｔｃ、移動平均標本数、再生速度、サンプリング間隔Ｔｓ、τ等のパラメータが変化する場合（例えば再生速度が異なる場合や、再生装置が異なる場合）、この情報記録再生装置の規定を満足するように、上述の可変可能なパラメータを制御することで、信頼性の高い多値情報の再生を行うことができる。
以上、移動平均による再生信号のノイズ除去処理について述べたが、次にコントローラ９内のＬＰＦ回路上で実現する処理について説明する。
サンプリング間隔をＴｓ、標本数を２ｎ＋１とした場合、移動平均される範囲、すなわち移動平均範囲（時間）τは数２に基づく演算処理でτ＝２ｎ・Ｔｓとなる。
アナログ信号である再生信号ｘ（ｔ）をτの間移動平均処理した場合の出力信号ｚ（ｔ）は、数４に基づく処理によって得られる。
【００６１】
【数４】
2006236498.tif 000006
【００６２】
今、ｘ（ｔ）を単純な周波数ｆの正弦波とすると、移動平均の結果は、数５に基づく処理によって得られる。数５中の数６に示す値は移動平均された信号の振幅を示し、そのｓｉｎ（２πｆｔ）は位相を示す。
【００６３】
【数５】
2006236498.tif 000007
【００６４】
【数６】
2006236498.tif 000008
【００６５】
ＬＰＦの遮断周波数をｆｃとすると、ｆｃにおいてｚ（ｔ）の振幅は、数７に示す値（ルート２分の１）となる。すなわち、数８に示す値になる。
【００６６】
【数７】
2006236498.tif 000009
【００６７】
【数８】
2006236498.tif 000010
【００６８】
この数８に示す値からＬＰＦの遮断周波数ｆｃと移動平均時間τの関係を求めると、数９に示す移動平均処理をＬＰＦの遮断周波数に変換する演算式が得られる。
【００６９】
【数９】
2006236498.tif 000011
【００７０】
この数９に示す０．４４３という数字は、再生信号を単純な周波数ｆの正弦波と仮定した場合の数字であって、多値情報記録におけるランダム信号の場合、おおよそ０．５程度と考えることができる。
したがって、この情報記録再生装置における移動平均処理の有効範囲である０．５≦（τ／Ｔｃ）≦１．０は、記録単位周波数ｆｃｅｌｌで表現すれば０．５≦（τ・ｆｃｅｌｌ）≦１．０であるから、０．５０・ｆｃｅｌｌ≦ｆｃ≦１．００・ｆｃｅｌｌへと変換できる。
【００７１】
同様にして、０．６≦（τ／Ｔｃ）≦０．９は、０．５５・ｆｃｅｌｌ≦ｆｃ≦０．８４・ｆｃｅｌｌへ、記録単位周波数ｆｃｅｌｌ＝Ｖ／Ｌｃであるので、０．５≦（τ／Ｌｃ）・Ｖ≦１．０は０．５０・（Ｖ／Ｌｃ）≦ｆｃ≦１．００・（Ｖ／Ｌｃ）へ、０．６≦（τ／Ｌｃ）・Ｖ≦０．９は０．５５・（Ｖ／Ｌｃ）≦ｆｃ≦０．８４・（Ｖ／Ｌｃ）と変換される。
このように、ＬＰＦ回路を使用する場合でも、移動平均処理との効果は全く変らない。
【産業上の利用可能性】
【００７２】
この発明による多値情報の再生方法と多値情報の再生装置は、記録媒体に記録された多値情報を再生する装置全般に適用することができる。
【図面の簡単な説明】
【００７３】
【図１】この発明の実施例である情報記録再生装置の構成を示すブロック図である。
【図２】図１に示す情報記録再生装置における移動平均標本数を示す図である。
【図３】図１に示す情報記録再生装置における光ディスクに多値レベル７−０−７−０−７−０−７−０−７−０を記録した部分を再生したときの再生信号を示す波形図である。
【図４】ＳＤＲの移動平均標本数の依存性の説明に供する図である。
【００７４】
【図５】同じくＳＤＲの移動平均標本数の依存性の説明に供する図である。
【図６】最適標本数の一例を示した図である。
【図７】同じく最適標本数の一例を示した図である。
【図８】従来のスライス方式によるデータ復号の説明に供する波形図である。
【図９】多値情報記録における記録マークの概念図である。
【００７５】
【図１０】ディスク状の記録媒体に８値の多値レベルを繰り返し記録した場合のディスク周内の再生信号レベルの変動を示す再生信号波形図である。
【図１１】図１０に示す再生信号をＬＰＦでノイズ除去した後の再生信号波形図である。
【図１２】多値レベル０−１−０を記録した部分からの再生信号の波形図である。
【図１３】図１２に示す再生信号をＬＰＦでノイズ除去した後の再生信号波形図である。
【符号の説明】
【００７６】
１：モータ    ２：光ピックアップ    ３：粗動モータ    ４：回転制御系部    ５：粗動モータ制御系部    ６：光ピックアップ制御系部    ７：信号処理系部    ８：キャッシュメモリ    ９：コントローラ    １０：外部インタフェース    １１：ホストコンピュータ    １２：光ディスク
【図１】
2006236498.tif 000012
【図２】
2006236498.tif 000013
【図３】
2006236498.tif 000014
【図４】
2006236498.tif 000015
【図５】
2006236498.tif 000016
【図６】
2006236498.tif 000017
【図７】
2006236498.tif 000018
【図８】
2006236498.tif 000019
【図９】
2006236498.tif 000020
【図１２】
2006236498.tif 000021
【図１３】
2006236498.tif 000022
【図１０】
2006236498.tif 000023
【図１１】
2006236498.tif 000024